(57)【特許請求の範囲】
【請求項１】
収納体と一組の取っ手と中蓋と、前記収納体内に備えられた収納本体部と収納補助部とからなり、前記収納体は略長方形状の袋状からなり、前記収納本体部は略長方形状であって、前記収納体の縦方向上部に設けられた上端部に位置する前記収納本体部の開口部から内方に向かって袋状に形成され、前記収納補助部は略長方形状であって、前記収納体の幅方向側部のいずれか一方に設けられた収納補助部の開口部から内方に向かって袋状に形成され、前記取っ手は前記収納体の前記上端部にそれぞれ対向するように設けられ、前記中蓋は略方形状であって且つ前記収納本体部の縦方向・幅方向のいずれの長さよりも短く形成されており、前記上端部の内側のいずれか一側に取り付けられ、前記中蓋に引出孔が形成されて、該引出孔は、前記中蓋の中央より上よりの位置に形成されてなることを特徴とするＩＣカード・磁気カード入れ兼用小物入れ。
【請求項２】
収納体と一組の取っ手と中蓋と、前記収納体内に備えられた収納本体部と収納補助部とからなり、前記収納体は略長方形状の袋状からなり、前記収納本体部は略長方形状であって、前記収納体の縦方向上部に設けられた上端部に位置する前記収納本体部の開口部から内方に向かって袋状に形成され、前記収納補助部は略長方形状であって、前記収納体の幅方向側部のいずれか一方に設けられた収納補助部の開口部から内方に向かって袋状に形成され、前記取っ手は前記収納体の前記上端部にそれぞれ対向するように設けられ、前記中蓋は略方形状であって且つ前記収納本体部の縦方向・幅方向のいずれの長さよりも短く形成されており、前記上端部の内側のいずれか一側に取り付けられ、前記中蓋に摘み部が形成され、該摘み部は、前記中蓋の中央より上よりの位置に形成されてなることを特徴とするＩＣカード・磁気カード入れ兼用小物入れ。
【請求項３】
請求項１又は２の記載において、前記中蓋の先端が円弧状に形成されていることを特徴とするＩＣカード・磁気カード入れ兼用小物入れ。
【請求項４】
請求項１又は２の記載において、前記中蓋の形状が略方形状から略三角形状に変換されていることを特徴とするＩＣカード・磁気カード入れ兼用小物入れ。
【請求項５】
請求項１又は２の記載において、前記中蓋の形状が略方形状から略台形状に変換されていることを特徴とするＩＣカード・磁気カード入れ兼用小物入れ。
【請求項６】
請求項１、２、３、４又は５のいずれか１項の記載において、前記中蓋の縦方向両側にそれぞれ窪み部が形成されていることを特徴とするＩＣカード・磁気カード入れ兼用小物入れ。
【発明の詳細な説明】
【技術分野】
【０００１】
本発明は、電車やバスの乗車券、定期券等として利用されるＩＣカード・磁気カード入れ兼用小物入れに関する。
【背景技術】
【０００２】
一般に、電車やバスの乗車券、定期券等として利用されるＩＣカード・磁気カードは、専用のカード入れに入れて持ち運び、使用されている。こうした専用カード入れは、ＩＣカード・磁気カードの出し入れのみに使用されるものであって、ＩＣカード・磁気カードの出し入れがし易いか否かに重点が置かれて製造されている。
【先行技術文献】
【特許文献】
【０００３】
【特許文献１】特開平１１−１１３６１８号
【発明の概要】
【発明が解決しようとする課題】
【０００４】
特許文献１のようにカード入れと小物入れとが一緒になっているタイプのものであっても、カード入れ専用のものと同様に、カードを如何にスムーズにカード入れから取り出せるかという点に重点がおかれている。したがって、カードを取り出すという煩雑な作業を常に必要とすることになる。
【０００５】
また、特許文献１では、カードをカード入れから取り出すため、個人情報が記載されている部分を他人から見られる可能性がある。この点は、電車やバスの乗車券、定期券などとして使用されるＩＣカード・磁気カードのための専用カード入れについても同様のことが言える。つまり、専用カード入れの多くが、ＩＣカード・磁気カードの個人情報が記載されている部分が透明になっており、他人がその内容を見ることが容易に可能であるという欠点がある。
【０００６】
更に、カード入れとしての機能しかもたない場合は、その形状は薄く、鞄の中に入れておくと、実際の使用時に即座に見つからないということが多々ある。一方で、ハンカチやティッシュ、口紅やリップクリーム等といった、頻繁に鞄から取り出す機会の多い小物類については、ポーチ等に入れておくと、ファスナー等の開け閉めが必要となり、使用に際して煩雑さを伴う。しかし、むき出しで鞄の中に入れておくと、使用時に即座に見つからず、鞄の中が整理されていない状態になるという欠点があった。
【０００７】
また、鞄の中の小物類を入れるポーチ等は、一般的にはファスナー等の閉じ具により蓋が開閉されるため、中の物を取り出す際に、ファスナーの開け閉めを伴うこととなり、手間がかかるという欠点があった。
【課題を解決するための手段】
【０００８】
そこで、発明者は、上記課題を解決すべく、鋭意、研究を重ねた結果、請求項１の発明を、収納体と一組の取っ手と中蓋と、前記収納体内に備えられた収納本体部と収納補助部とからなり、前記収納体は略長方形状の袋状からなり、前記収納本体部は略長方形状であって、前記収納体の縦方向上部に設けられた上端部に位置する前記収納本体部の開口部から内方に向かって袋状に形成され、前記収納補助部は略長方形状であって、前記収納体の幅方向側部のいずれか一方に設けられた収納補助部の開口部から内方に向かって袋状に形成され、前記取っ手は前記収納体の前記上端部にそれぞれ対向するように設けられ、前記中蓋は略方形状であって且つ前記収納本体部の縦方向・幅方向のいずれの長さよりも短く形成されており、前記上端部の内側のいずれか一側に取り付けられ、前記中蓋に引出孔が形成されて、該引出孔は、前記中蓋の中央より上よりの位置に形成されてなるＩＣカード・磁気カード入れ兼用小物入れ、とすることにより上記課題を解決した。
【０００９】
また、請求項２の発明を、収納体と一組の取っ手と中蓋と、前記収納体内に備えられた収納本体部と収納補助部とからなり、前記収納体は略長方形状の袋状からなり、前記収納本体部は略長方形状であって、前記収納体の縦方向上部に設けられた上端部に位置する前記収納本体部の開口部から内方に向かって袋状に形成され、前記収納補助部は略長方形状であって、前記収納体の幅方向側部のいずれか一方に設けられた収納補助部の開口部から内方に向かって袋状に形成され、前記取っ手は前記収納体の前記上端部にそれぞれ対向するように設けられ、前記中蓋は略方形状であって且つ前記収納本体部の縦方向・幅方向のいずれの長さよりも短く形成されており、前記上端部の内側のいずれか一側に取り付けられ、前記中蓋に摘み部が形成され、該摘み部は、前記中蓋の中央より上よりの位置に形成されてなるＩＣカード・磁気カード入れ兼用小物入れ、とすることにより上記課題を解決した。
【００１０】
請求項３の発明を、請求項１又は２の記載において、前記中蓋の先端が円弧状に形成されていることを特徴とするＩＣカード・磁気カード入れ兼用小物入れ、とすることにより上記課題を解決した。請求項４の発明を、請求項１又は２の記載において、前記中蓋の形状が略方形状から略三角形状に変換されていることを特徴とするＩＣカード・磁気カード入れ兼用小物入れ、とすることにより上記課題を解決した。請求項５の発明を、請求項１又は２の記載において、前記中蓋の形状が略方形状から略台形状に変換されていることを特徴とするＩＣカード・磁気カード入れ兼用小物入れ、とすることにより上記課題を解決した。
【００１１】
請求項６の発明を、請求項１、２、３、４又は５のいずれか１項の記載において、前記中蓋の縦方向両側にそれぞれ窪み部が形成されていることを特徴とするＩＣカード・磁気カード入れ兼用小物入れ、とすることにより上記課題を解決した。
【発明の効果】
【００１２】
請求項１の発明では、収納体の内部が外から見えないようになっており、ＩＣカード・磁気カードからなる乗車券、定期券等を中から取り出さずに、直接、乗物の乗降用ゲートにかざす事で、乗降用ゲートを通過することができる。すなわち、カードを取り出すという煩雑な作業が必要なく、更に、カードに記載されている個人情報を他人に見られることがなくなるという利点がある。
【００１３】
請求項１の発明では、比較的頻繁に鞄の中から取り出す機会が多いＩＣカード・磁気カード等と化粧品やハンカチ等の小物類を、収納体に一纏めにして収納することで、鞄の中がちらかるのを防ぐことができ、また、目的物を鞄の中から容易に探し出して取り出すことが可能となった。加えて、収納体の開口部内側に中蓋を設けたことで、収納体の中のものが飛び出す恐れがなくなり、更に、開口部の開閉が、中蓋の出し入れによって行われるため、ファスナーやボタンの開け閉めを行う必要がなく、開閉時の煩雑さがないという利点を得られることとなった。
【００１４】
請求項１の発明では、中蓋の縦方向長さを収納本体部縦方向の長さよりも短くし、幅方向長さを収納本体部幅方向の長さよりも短くすることにより、中蓋を収納本体部の中に差し込みやすくすることが可能となり、煩雑な開閉作業が必要なくなった。
【００１５】
さらに、請求項１の発明では、収納体に収納本体部と収納補助部を設けたことで、収納本体部に化粧品やハンカチ等の小物を収納し、収納補助部に定期券等のＩＣカード・磁気カードを収納する。このように内容物を使用目的に分けて使用することが可能となり、鞄の中から容易に探し出せるだけでなく、小物入れからも取り出したい物を更に容易に取り出すことが可能となった。
【００１６】
また、請求項１の発明では、収納補助部が収納体の内部に形成されることで、収納補助部の内部が外から見えないようになっている。このため、ＩＣカード・磁気カードに記載されている個人情報を他人に見られることがなくなるという利点がある。更に、収納補助部にカードが収納されるため、収納体のどちら側を乗降用ゲートに翳せばよいのかが、一瞬にしてわかる。さらに、請求項１の発明では、中蓋に引き出し用孔を形成することで、中蓋を引き出しやすくすることが可能となった。請求項２の発明では、中蓋に摘み部を形成することで、中蓋を引き出しやすくすることが可能となった。
【００１７】
請求項３の発明では、中蓋の先端を円弧状にすることで、角の部分だけが折れ曲がったり、丸まったりしないようにすることが可能となった。請求項４の発明では、中蓋の形状を略三角形状に形成することで、中蓋の先端が細くなり、収納本体部に中蓋を差し込みやすくすることが可能となった。請求項５の発明では、中蓋の形状を略台形状に形成することで、中蓋の先端が収納本体部の幅の長さよりも短くなり、収納本体部に中蓋を差し込みやすくすることが可能となると同時に、先端が折れ曲がったり、まるまったりしないようにすることが可能となった。
【００１８】
請求項６の発明では、中蓋の縦方向両側にそれぞれ窪み部を形成することで、中蓋を引き出しやすくすることが可能となった。
【図面の簡単な説明】
【００１９】
【図１】（Ａ）は本発明の一部切除した斜視図、（Ｂ）は本発明に内容物を入れた状態の断面図、（Ｃ）は本発明の一部切除した斜視図である。
【図２】（Ａ）は本発明の断面図、（Ｂ）は（Ａ）のＸａ−Ｘａ矢視断面図、（Ｃ）は（Ａ）のＸｂ−Ｘｂ矢視断面図、（Ｄ）は（Ａ）のＹａ−Ｙａ矢視断面図。
【図３】（Ａ）は本発明の中蓋部分の斜視図、（Ｂ）は（Ａ）のＸｃ−Ｘｃ矢視一部拡大断面図、（Ｃ）は摘み部を備えた本発明の断面図、（Ｄ）は（Ｃ）のＸｄ−Ｘｄ矢視一部拡大断面図、（Ｅ）は引出孔を備えた本発明の断面図、（Ｆ）はＸｅ−Ｘｅ矢視一部拡大断面図である。
【図４】（Ａ）は中蓋の隅が丸まった形状の本発明の断面図、（Ｂ）は中蓋の隅が角ばった形状の本発明の断面図である。
【図５】（Ａ），（Ｂ）及び（Ｃ）は中蓋に窪み部を形成した本発明の断面図。
【図６】（Ａ）は中蓋先端が円弧状に形成された本発明の断面図、（Ｂ）は中蓋を取り出している状態を示す作用図である。
【図７】（Ａ），（Ｂ）及び（Ｃ）は、本発明に中蓋を収納する際の行程を表す状態図である。
【図８】（Ａ），（Ｂ）及び（Ｃ）は、本発明から中蓋を取り出す際の行程を表す状態図。
【図９】（Ａ）は本発明の別の実施形態の一部切除した斜視図、（Ｂ）は（Ａ）の断面図である。
【発明を実施するための形態】
【００２０】
以下、本発明を実施態様に基づいて説明する。図１（Ａ）は本発明の斜視図である。本発明は収納体Ａ、収納本体部１、収納補助部２、中蓋３、一組の取っ手４，４からなる。図１（Ｂ）は本発明に実際に物を収納した際の断面図であるが、収納本体部１に化粧品やペン、ハンカチ等の小物類、収納補助部２に乗車券・定期券等に使用されるＩＣカード又は磁気カードが収納される。
【００２１】
実際には、小物類は、収納体Ａの上端部Ａ１に位置する収納本体部１の開口部１ａから中蓋３を取り出した上で、収納される。ＩＣカード又は磁気カードは、収納補助部２の収納補助部の開口部２ａから収納される［（図１（Ｃ）参照）。収納体Ａ、収納本体部１、収納補助部２に使用される材質は布、合皮、ビニール等何であってもよく、その材質に制限されない。但し、ＩＣカード・磁気カードを中に入れた状態で、データが読み取れなければならないので、データ情報の読み取りを遮る材質のものや、あまり厚すぎるものは適さない。
【００２２】
図２（Ａ）は、本発明の断面図である。収納本体部１、収納補助部２は、略長方形状の袋状に形成された収納体Ａの内部に設けられている［図２（Ａ）参照］。図２（Ｂ）は図２（Ａ）のＸａ−Ｘａ矢視断面図である。収納体Ａの内部に収納本体部１が設けられ、その収納本体部１の内部に中蓋３が設けられている。収納体Ａの上端部Ａ１内側に一組の取っ手４，４が設けられている［図２（Ｂ）参照］。収納本体部１の開口部１ａと中蓋３は収納体Ａの開口部Ａ１部分で綴じあわされており、収納体Ａの上端部Ａ１に、収納本体部１の開口部１ａ、中蓋３の順に重なっている[図２（Ａ）（Ｂ）参照]。
【００２３】
ここで、収納本体部１は収納体Ａの内部に収納体Ａと相似形で、収納体Ａよりも一回り小さい大きさの袋状に形成され、収納体Ａの内部に設けられている。また、収納補助部２には乗車券、定期券等として使用されるＩＣカード又は磁気カードが収納されるのであるから、収納補助部２は当該カードが入る程度の大きさは必要であり、更に収納補助部２が収納される収納体Ａは、少なくとも収納補助部２よりは大きくなる必要がある。この点を考慮すると、収納体Ａの大きさとしては、横が８〜１０ｃｍ、縦が１０〜１５ｃｍが好ましいが、実際には、ＩＣカード又は磁気カードが収納できるのであれば、これよりも大きくなっても、小さくなってもよい。
【００２４】
図２（Ｃ）は図２（Ａ）のＸｂ−Ｘｂ矢視断面図である。図２（Ｃ）に図示されているように、収納補助部２は収納体Ａの内部に収納体Ａと相似形で、収納体Ａよりも一回り小さい大きさの袋状に形成され、収納体Ａの内部に設けられている。収納補助部２の開口部２ａは収納体Ａの幅方向側部Ａ２，Ａ２のいずれか一方に設けられ、前記開口部２ａから内方に向かって拡がるように形成されている[図２（Ａ）（Ｃ）（Ｄ）参照]。また、前記開口部２ａはファスナー等の閉じ具で閉じられるようになっており、収納本体部１の内部から直接に収納補助部２へ物を入れることはできないようになっている［図２（Ｃ）
（Ｄ）参照］。
【００２５】
図２（Ｄ）は図２（Ａ）のＹａ−Ｙａ矢視断面図である。収納体Ａの内部に収納本体部１と収納補助部２が設けられ、収納体Ａの幅方向側部Ａ２に収納補助部２の開口部２ａが設けられていることが図示されている。収納補助部２は開口部２ａが形成されている収納体Ａの幅方向側部Ａ２においてのみ収納体Ａと接着しているが、もう一方の幅方向側部Ａ２においても綴じ合わせて接着するようにしてもよい。
【００２６】
図３（Ａ）は、中蓋３の斜視図である。図３（Ａ）の中蓋３は略長方形状からなる。中蓋３の中央やや上よりに形成されているのが摘み部７である。摘み部７は摘み片７ａと切り込み孔７ｂから形成される。
【００２７】
図３（Ｂ）は、図３（Ａ）のＸｃ−Ｘｃ矢視断面図である。摘み片７ａは下向きに形成されている。図３（Ｃ）は摘み部７の摘み片７ａを上向きにしたものであり、図３（Ｄ）は図３（Ｃ）のＸｄ−Ｘｄ矢視断面図である。このように、摘み部７の摘み片７ａは上向き、下向きのどちらに形成してもよい。摘み片７ａの長さは、中蓋３を上に引き上げるために、指で摘める長さであれば、その長短は問わない。
【００２８】
図３（Ｅ）は中蓋３の中央やや上側に引出孔６を形成したものの断面図であり、
図３（Ｆ）は図３（Ｅ）のＸｅ−Ｘｅ矢視断面図である。引出孔６は中蓋のどの位置にあってもよいが、中央やや上よりに位置すると引き出しやすく、より好ましい。また、引出孔６の形状は円形、楕円形、方形、三角形等いずれであってもよく、その大きさも、引き出す際に指をひっかけられる程度の大きさがあれば十分である。
【００２９】
中蓋３の形状は略長方形状（先端部が円弧状のものも含む。）、三角形状、台形状のいずれであってもよい。また、いずれの場合も角の尖っている部分が丸みを帯びているものも含む［図４（Ａ）参照］。中蓋３の尖っている部分が、中蓋３を押し込む際に丸まってしまうのを防ぐためである［図４（Ｂ）参照］。
【００３０】
図５（Ａ）（Ｂ）（Ｃ）は中蓋３に窪み部５を形成したものである。具体的には、図５（Ａ）は、略長方形状の中蓋３に窪み部５を形成したもの、図５（Ｂ）は三角形状の中蓋３に窪み部５を形成したもの、図５（Ｃ）は台形状の中蓋に窪み部５を形成したものである。
窪み部５を形成することで、窪み部５に指をかけて中蓋３全体を摘むようにして、中蓋３を取り出すことが可能となる［図６（Ａ）（Ｂ）参照］。窪み部５の窪みは、内方に向かって中蓋３が括れるように窪ませてあれば、どのような形状であってもよい。
【００３１】
使用に際しては、まず、中蓋３を外に出した状態で、収納本体部１にハンカチ、ティッシュ等の小物を収納する［図７（Ａ）参照］。収納後、中蓋３を収納本体部１の開口部１ａに被せるようにしてから［図７（Ｂ）参照］、指で中蓋３を収納本体部１の内部に押し込む［図７（Ｃ）参照］。このようにすることで、開口部１ａを閉じ具等によって閉める作業を行うことなく、容易に収納本体部１の内容物が外に飛び出ないようにすることが可能となる。
【００３２】
図８（Ａ）は収納本体部１に内容物が入っている状態である。この状態から中蓋３に形成された摘み片７ａを持ち上に引き上げ［図８（Ｂ）参照］、ある程度中蓋３が外に引きあがったら、中蓋３自体を持って、中蓋３全体を収納本体部１から引き出す［図８（Ｃ）参照］。このように、本願発明は容易に中蓋３を取り出して、中のものを取り出すことが可能である。すなわち、煩雑な開閉作業を行う必要がなくなる。
【００３３】
図９（Ａ）は、収納本体部１及び収納補助部２の無いタイプの実施形態を評したものである。このタイプでは、小物類とＩＣカード・磁気カードとが区別されることなく、収納体Ａにまとめて収納される［図９（Ａ）（Ｂ）参照］。
【符号の説明】
【００３４】
Ａ…収納体、Ａ１…上端部、Ａ２…幅方向側部、１…収納本体部、
１ａ…開口部、２…収納補助部、２ａ…開口部、３…中蓋、４…取っ手、
５…窪み部、６…引出孔、７…摘み部。
【図１】
0005527682.tif 000002
【図２】
0005527682.tif 000003
【図３】
0005527682.tif 000004
【図４】
0005527682.tif 000005
【図５】
0005527682.tif 000006
【図６】
0005527682.tif 000007
【図７】
0005527682.tif 000008
【図８】
0005527682.tif 000009
【図９】
0005527682.tif 000010